(57)【要約】【課題】  窓の外側の完開と完閉及び庇の角度調節が連動操作できる移動庇装置を提供する。【解決手段】  窓外側の上部と下部の両側に設けた枢支部に、上部から途中まで間に一定の間隔を置いて順に下部がその上部より長幅にネジ山を欠いた空転部７，８を形成した回動螺軸５を枢着する。  最上に配するものが前記最上部の空転部７の幅より短く、その下に配するものが最上部の空転部７の幅より長く且つ次の空転部８の幅より短く、その下に配するものが以下順に次の上側の空転部の幅より長く且つその下側の空転部の幅より短くなるように雌ネジ部を形成した雌螺子を回動螺軸５に螺着させる。  最下部の雌螺子１１を除く各雌螺子に設けた枢支部と回動螺軸５の最上部に設けた枢支部１２に各開閉庇６を枢着し、各開閉庇６の中間部に設けた枢支部と開閉庇６の直下方に配した各雌螺子の枢支部に支持フレームを架設し、両回動螺軸５を回転させる回転手段２２を設ける。【選択図】      図１
2006070632.tif 000002
【特許請求の範囲】
【請求項１】
建築物の窓外側の上部と下部の両側に設けた枢支部にそれぞれ上下両端部が枢着され、且つ上部から途中まで間を等分数の任意の個数分に一定の間隔を置いて順に下部がその上部より長幅にネジ山を欠いた空転部を左右対称に形成した両回動螺軸と、
側面に枢支部を突設するとともに、最上に配するものが前記回動螺軸の最上部の空転部の幅より短く、その下に配するものが前記回動螺軸の最上部の空転部の幅より長く且つ次の空転部の幅より短く、その下に配するものが以下順に次の上側の空転部の幅より長く且つその下側の空転部の幅より短くなるように雌ネジ部を形成して、その順に前記両回動螺軸に緩く螺合した前記任意の個数の各雌螺子と、
窓の縦幅を任意の個数で等分した長さよりも広い縦幅と両回動螺軸間よりも長い横幅を有し、最下部の雌螺子を除く各雌螺子の枢支部と前記回動螺軸の最上部又はその近く設けた枢支部に、両側の基端部を直接又は各開閉庇に固定したフレームを介して上下擺動可能に枢着した各開閉庇と、
前記開閉庇を支えるため、前記各開閉庇の両側の中間部に基端部の枢支部の位置から窓の縦幅の距離を前記任意の整数等分数の倍の数で除した距離となる位置に設けた各枢支部と前記開閉庇の直下方に配した各雌螺子の各枢支部とに、両端部に前記開閉庇の基端部と中間部の枢支部間の間隔と同間隔の両枢支部を枢着した支持フレームと、
最下部の開閉庇を除く開閉庇とそれらの直下方の支持フレームとの間に各両者を近づける方向に附勢させるように設けられた附勢手段と、
前記両回動螺軸の回転を同時に連動させるために、両回動螺軸間に装着した回転連動手段と、
前記回動螺軸を回転操作するための回転手段とを設けて成る窓の移動庇装置。
【請求項２】
回転手段が、紐を掛けた紐車の回転を回動螺軸へ伝達する回転伝達機構を設けて成り、紐で紐車を回転させて回動螺軸の回転操作を行うことを特徴とする請求項１に記載の窓の移動庇装置。
【請求項３】
回転手段が、ハンドルの回転を回動螺軸へ伝達するで回転伝達機構を設けて成り、ハンドルを回転させて回動螺軸の回転操作を行うことを特徴とする請求項１に記載の窓の移動庇装置。
【請求項４】
回転手段が、モータの回転を回動螺軸へ伝達するで回転伝達機構を設けて成り、モータを回転させて回動螺軸の回転操作を行うことを特徴とする請求項１に記載の窓の移動庇装置。
【発明の詳細な説明】
【技術分野】
【０００１】
本発明は、窓の外側に設けられる全開と全閉が可能な移動庇装置に関する。
【背景技術】
【０００２】
通常、雨水を避けたり、直射日光を避けたりするために、窓の外側の上に庇を設けることが行われているが、一般的な固定した庇では西日などの真横からの日差しが室内に入り込むのを避けることができない。
このため、そのような固定式の庇では、夏においては日差しによる室内の温度上昇を防げず、また冬においては窓からの熱エネルギーの放出を防ぐことができなかったので、室内の夏の冷房や冬の暖房のために石油や電力などのエネルギー消費を節約することが困難であった。
【０００３】
そこでこれまで、細い板を平行に配し、各板を連動して開閉調節ができるようにしたルーバー装置（特許文献１参照）が提供されている。
また、そのような従来の一般的なルーバー装置は、窓の外の各段位置に開閉板がそれぞれ開閉可能に支持された構造となっており、その高さ位置において開閉板が所望の角度に開閉できるようになっている。このため開閉板の開閉操作により開閉板越しに外の景色が見られるが、はっきり見ようとしても開閉板の各個はどんなに開いても窓の外に側面が筋のように遮る状態となってしまい、その開閉板が障害となって外がよく見られない難点があった。
【０００４】
また、外の景色が遮りなく見られるように、窓枠上部に設けた枢支部を中心にルーバー全体を回動させて窓を全開できるようにした特許文献２の手法が提案されている。
しあし、この装置は、ルーバー全体として大きく外に張り出した庇となって外に嵩張るうえに、風に煽られ破損しやすい構造であった。
【特許文献１】特開平２０００−２６５７５４号公報
【特許文献２】特開平６−１０５７１号公報
【発明の開示】
【発明が解決しようとする課題】
【０００５】
本発明は上記事情からなされたもので、夏は西日などの日差しを遮って室内の温度上昇を防ぎ、また冬の夜間は窓全体を覆って窓からの熱エネルギーの放出を防ぐことができ、日中は全開して日光のエネルギーを窓枠内１００％を取り込むことができ、さらに、窓の外の景色が庇で妨害されることがないように完全に開放でき且つ窓の外を完全に閉鎖させることができるとともに庇の角度の調節も連動操作で可能とする移動庇装置を提供するものである。
【課題を解決するための手段】
【０００６】
上記課題を解決するため、本発明の窓の移動庇装置は、建築物の窓外側の上部と下部の両側に設けた枢支部にそれぞれ上下両端部が枢着され、且つ上部から途中まで間を等分数の任意の個数分に一定の間隔を置いて順に下部がその上部より長幅にネジ山を欠いた空転部を左右対称に形成した両回動螺軸を設ける。
そして、側面に枢支部を突設するとともに、最上に配するものが前記回動螺軸の最上部の空転部の幅より短く、その下に配するものが前記回動螺軸の最上部の空転部の幅より長く且つ次の空転部の幅より短く、その下に配するものが以下順に次の上側の空転部の幅より長く且つその下側の空転部の幅より短くなるように雌ネジ部を形成して、その順に前記両回動螺軸に緩く螺合した前記任意の個数の各雌螺子を設ける。
さらに、窓の縦幅を任意の個数で等分した長さよりも広い縦幅と両回動螺軸間よりも長い横幅を有し、最下部の雌螺子を除く各雌螺子の枢支部と前記回動螺軸の最上部又はその近く設けた枢支部に、両側の基端部を直接又は各開閉庇に固定したフレームを介して上下擺動可能に各開閉庇を枢着する。
そして、前記開閉庇を支えるため、前記各開閉庇の両側の中間部に基端部の枢支部の位置から窓の縦幅の距離を前記任意の整数等分数の倍の数で除した距離となる位置に設けた各枢支部と前記開閉庇の直下方に配した各雌螺子の各枢支部とに、両端部に前記開閉庇の基端部と中間部の枢支部間の間隔と同間隔の両枢支部を枢着した支持フレームを架設する。
そして、最下部の開閉庇を除く開閉庇とそれらの直下方の支持フレームとの間に各両者を近づける方向に附勢させるように附勢手段を設ける。
さらに、前記両回動螺軸の回転を同時に連動させるために、両回動螺軸間に装着した回転連動手段と、前記回動螺軸を回転操作するための回転手段とを設けて構成したものである。
【０００７】
請求項２に記載の発明は、上記構成において、前記回転手段を、紐を掛けた紐車の回転を回動螺軸へ伝達する回転伝達機構を設けて成り、紐で紐車を回転させて回動螺軸の回転操作を行うことを特徴としたものである。
【０００８】
請求項３に記載の発明は、上記構成において、前記回転手段を、ハンドルの回転を回動螺軸へ伝達するで回転伝達機構を設けて成り、ハンドルを回転させて回動螺軸の回転操作を行うことを特徴としたものである。
【０００９】
請求項４に記載の発明は、上記構成において、前記回転手段を、モータの回転を回動螺軸へ伝達するで回転伝達機構を設けて成り、モータを回転させて回動螺軸の回転操作を行うことを特徴とするものである。
【発明の効果】
【００１０】
本発明は上記構成であり、回転手段で回動螺軸を回転させることによって開閉庇の角度を調節して夏は窓下部分まで西日などの日差しを遮って室内の温度上昇を防ぎ、また、前記開閉庇を下ろして窓の外側を完全に閉鎖させることで、冬は窓全体を覆って窓からの熱エネルギーの放出を防ぐ。このようにして、室内の冷暖房のための石油や電力などのエネルギー消費を大幅に節約することが可能となる。
【００１１】
また、開閉庇は窓の上部に全部重ねて寄せられ、そうすれば窓枠内の中間に庇が一枚も残されることはないので、窓の外の景色が何の障害もなく完全に開放されて気持ち良く眺めることができる。
また、前記回転手段には、モータを使用すれば、開閉庇を室内などに設けたスイッチで楽に開閉操作することが可能になる。
【発明を実施するための最良の形態】
【００１２】
本発明の形態を以下詳しく説明する。
本発明の窓の移動庇装置は、図１に示すように、建築物の窓外側の上部１と下部２の両側１ａ、1ｂ、２ａ、２ｂに対称的に枢支部３ａ、３ｂ、４ａ、４ｂを設ける。
そして、その両側の枢支部３ａ、３ｂ、４ａ、４ｂに対して、上部から途中まで間を等分数の任意の個数分に一定の間隔を置いて順に下部がその上部より長幅にネジ山を欠いた空転部７，８を両方が左右対称になるように形成した両回動螺軸５、５を、その上下両端部５ａ、５ｂで回転可能に枢着する。
【００１３】
そして、図４に示すように、最上に配するものの雌ネジ部（Ｌ1）が前記回動螺軸５、５の最上部の空転部７の幅（Ｗ1）より短く、その下に配するものの雌ネジ部（Ｌ2）が前記回動螺軸の最上部の空転部７の幅（Ｗ1）より長く且つ次の空転部８の幅（Ｗ2）より短く、その下に配するものの雌ネジ部（Ｌ3）が以下順に次の上側の空転部の幅より長く且つその下側の空転部の幅より短くなるように雌ネジ部を形成して、その順に前記両回動螺軸５、５に緩く螺合した前記任意の個数の各雌螺子９、１０、１１を設ける。
そして、前記各雌螺子９、１０、１１の側面に枢支部９ａ、１０ａ、１１ａを突設する。
【００１４】
さらに、窓の縦幅を任意の個数で等分した長さよりも広い縦幅と両回動螺軸５、５間よりも長い横幅を有し、最下部の雌螺子１１を除く各雌螺子９、１０の枢支部９ａ、１０ａ、と前記回動螺軸５の最上部又はその近く設けた枢支部１２に、両側の基端部６ａを直接又は各開閉庇に固定したフレーム１４を介して上下擺動可能に各開閉庇６、６、６を枢着する。
その各開閉庇６、６、６には断熱材を張り合わせると、開閉庇６を全閉した時に冬の暖房した室内の温度が室外の放出されるのを防ぎ、石油や電力などのエネルギー消費を節約できるので好ましい。
【００１５】
そして、前記開閉庇６を支えるため、前記各開閉庇６、６、６の両側の中間部に、基端部の枢支部１２の位置から窓の縦幅の距離を前記任意の整数等分数の倍の数で除した距離となる位置に設けた各枢支部１３と前記開閉庇６、６、６の直下方に配した各雌螺子９、１０、１１の各枢支部９ａ、１０ａ、１１ａとに、両端部に前記開閉庇６の基端部６ａと中間部の両枢支部１２、１３間の間隔と同間隔の両枢支部９ａ、１３，１０ａ、１９，１１ａ、１８を枢着した支持フレーム２１、２０、１７を架設する。
そして、最下部の開閉庇を除く開閉庇６とそれらの直下方の支持フレーム２１、２０との間に各両者を近づける方向に附勢させるように附勢手段を設ける。
この附勢手段としては、枢支部１３、１９に開閉庇６、６と支持フレーム２１、２０を近づける方向に附勢させたバネ（図中省略）を装着したもので良い。
【００１６】
各開閉庇６、６、６は左右のいずれか一方側だけの操作では安定した移動が難しい。そこで前記両回動螺軸５、５の回転を同時に連動させるために、両回動螺軸５、５間に装着した回転連動手段３０と、前記回動螺軸５、５を回転操作するための回転手段２２とを設ける。
【００１７】
前記回転連動手段３０は、各種構造が可能であるが、例えば、前記回動螺軸５の両上端部５ａ、５ｂと回転連動軸３０ａの両端部に回転を角度９０度の方向転換をさせる傘歯車を組み込んだ構造（図省略）など一般に用いられている伝達装置を使用することがである。
【００１８】
そして、前記回転手段２２は、紐２３を掛けた紐車２４の回転を回動螺軸５、５へ伝達する回転伝達機構２５を設けて、紐２３で紐車２４を回転させて回動螺軸５、５の回転操作を行うもの（図１参照）、ハンドル２６の回転を回動螺軸５、５へ伝達するで回転伝達機構２７を設けて、ハンドル２６を回転させて回動螺軸５、５の回転操作を行うもの（図２参照）、モータ２９の回転を回動螺軸５、５へ伝達するで回転伝達機構２８を設けて、モータ２９を回転させて回動螺軸５、５の回転操作を行うもの（図３参照）が可能である。
【００１９】
次に、本発明の窓の移動庇装置の作用を、図１の形態における紐２３で全開状態から全閉状態まで開閉操作する時の３枚の開閉庇６、６、６の作動過程を示す、図４の（イ）から図７の（ト）に基づいて以下順に説明する。
【００２０】
まず、紐２３（図中省略）で紐車２４を逆回転させると、図４の（イ）に示すように、回動螺軸５が逆回転し、雌螺子９、１０、１１が全て下から最上部へ移動して、支持フレーム２１、２０、１７は、上部の開閉庇６、６、６の下面に接触するかのように折り畳まれ、３枚全ての開閉庇６、６、６が窓の上部に重なり合って窓が全閉状態となる。
の各枢支部９ａ、１０ａ、１１ａとに、両端部に前記開閉庇６の基端部６ａと中間部の両枢支部１２、１３間の間隔と同間隔の両枢支部９ａ、１３，１０ａ、１９，１１ａ、１８を枢着した支持フレーム２１、２０、１７を架設する。
全開状態となる。
【００２１】
次に、紐２３（図中省略）で紐車２４を正回転させると、図４の（ロ）に示すように、前記回動螺軸５、５が正回転し、前記雌螺子９、１０、１１が上から下へ開閉庇６が同じ角度で下向きに傾斜しつつ下方へ移動して行く。この時、雌螺子１０、１１は最上部の空転部７に幅より長いので、はじめに、図４の（ロ）に示すように、雌螺子１１がそのままその空転部７を超え、次に図５の（ハ）に示すように、雌螺子１０がそのままその空転部７を超えて下に進んで行く。
【００２２】
さらに、紐車２４で前記回動螺軸５、５を正回転させると、図５の（ニ）に示すように、前記雌螺子９が最上部の空転部７に嵌り空転する。これと同時に雌螺子１０も次の空転部８に嵌り空転してその下に下降しなくなる。
このとき、枢支部１３、１９に開閉庇６、６と支持フレーム２１、２０を近づける方向に附勢させたバネ（図中省略）などの附勢手段によって、開閉庇６の自重で前記雌螺子９、１０が押し下げられて空転部７、８を乗り越えるのを防ぐ。
この状態で止めておけば、外が見えると同時に低く沈んだ太陽からの入射角の低い日光も室内に入らないように遮ることができる。
【００２３】
そしてさらに、前記回動螺軸５、５を正回転させると、図６の（ホ）に示すように、最下部の雌螺子１１のみが下に進み、最下部の開閉庇６が直立する。
【００２４】
またさらに、前記回動螺軸５、５を正回転させると、図６の（ヘ）に示すように、最下部の雌螺子１１がさらに下方へ移動すると、直立した開閉庇６に引っ張られてその上の雌螺子１０が空転部８から抜け出し、その下へ移動して行く。
【００２５】
そしてさらに、前記回動螺軸５、５を正回転させると、図７の（ト）に示すように、最下部の雌螺子１１とその上の雌螺子１０がさらに下へ移動して行き、直立した二番目の開閉庇６に引っ張られて最上部の雌螺子９が空転部７から抜け出しその下へ移動して行く。
そして、最後に開閉庇６が全部直立状態となり、雌螺子１１、１０、９の下降が止まる。
本発明は以上のように、前記回動螺軸５、５を回転により、各雌螺子が上から下へ移動する際に、順に各空転部で空転して一旦進行停止し、さらに下から引っ張られることで各空転部から抜け出してその下へ移動して開閉庇が順に直立して行く。
【００２６】
次に、開閉庇６、６、６を全閉状態から逆に全開状態へ開閉操作する時の作動過程について説明する。
上記の閉じる場合とは逆に、前記回転手段２２で前記回動螺軸５、５を逆回転続行させると、バネが強い場合は上記移動の順序そのまま逆に上昇するが、バネが弱い場合には、途中で各空転部７、８に雌螺子９、１０が一旦進行停止しするが、下の雌螺子１１は進行停止せずに、雌螺子１０に突き当り、その下から押し上げて空転部８から雌螺子１０を抜け出させ、両雌螺子１１、１０は一緒に上に移動して行く。そして、次に上の雌螺子９に下の雌螺子１０が突き当り、その下から上の雌螺子９を押し上げて空転部７から雌螺子９を抜け出させ各雌螺子１１、１０、９は一緒に最上部にまで移動して行き全開状態となる。
なお、各図では各開閉庇６が３枚の場合を示したが、それ以上の枚数でも可能であり、開閉の原理は同様である。
【産業上の利用可能性】
【００２７】
本発明の窓の移動庇装置は上記構造であり、戸建住宅の窓の他にも集合住宅、倉庫、工場など各種建築物の各種窓に装着して使用することができる。
【図面の簡単な説明】
【００２８】
【図１】本発明の斜視図である。
【図２】別の形態の斜視図である。
【図３】さらに別の形態の斜視図である。
【図４】（イ）及び（ロ）は一方側の回動螺軸における開閉庇の開閉過程を示す斜視図である。
【図５】（ハ）及び（ニ）は一方側の回動螺軸における開閉庇の開閉過程を示す斜視図である。
【図６】（ホ）及び（ヘ）は一方側の回動螺軸における開閉庇の開閉過程を示す斜視図である。
【図７】（ト）は一方側の回動螺軸における開閉庇の開閉過程を示す斜視図である。
【符号の説明】
【００２９】
１    建築物の窓外側の上部
１ａ  建築物の窓外側の一方側の上部
１ｂ  建築物の窓外側の他方側の上部
２    建築物の窓外側の下部
２ａ  建築物の窓外側の一方側の下部
２ｂ  建築物の窓外側の他方側の下部
３ａ  枢支部
３ｂ  枢支部
４ａ  枢支部
４ｂ  枢支部
５    回動螺軸
５ａ  一方側の回動螺軸の両端部
５ｂ  他方側の回動螺軸の両端部
６    開閉庇
６ａ  開閉庇の基端部
７    空転部
８    空転部
９    雌螺子
９ａ  雌螺子の枢支部
１０    雌螺子
１０ａ  雌螺子の枢支部
１１    雌螺子
１１ａ  雌螺子の枢支部
１２    枢支部
１３    開閉庇の中間部の枢支部
１４    フレーム
１５    フレーム
１６    フレーム
１７    支持フレーム
１８    枢支部
１９    枢支部
２０    支持フレーム
２１    支持フレーム
２２    回転手段
２３    紐
２４    紐車
２５    回転伝達機構
２６    ハンドル
２７    回転伝達機構
２８    回転伝達機構
２９    モータ
３０    回転連動手段
３０ａ  回転連動軸
Ｗ1      空転部の幅
Ｗ2      空転部の幅
Ｌ1      雌ネジ部の幅
Ｌ2      雌ネジ部の幅
Ｌ3      雌ネジ部の幅
【図１】
2006070632.tif 000003
【図２】
2006070632.tif 000004
【図３】
2006070632.tif 000005
【図４】
2006070632.tif 000006
【図５】
2006070632.tif 000007
【図６】
2006070632.tif 000008
【図７】
2006070632.tif 000009